(57)【要約】      （修正有）【課題】ペットや動物の頭、顎、胴、手足、尻尾等に簡単に取り替えられるウィッグ・つけ毛・リボン等動物用装飾具を提供する。【解決手段】動物の体に装飾具を取替可能に固定するためのベース部材と、ベース部材に結合させる装飾部材より動物用装飾具を形成する。また、装飾部材は動物用のかつら、ウィッグ、つけ毛とする。【選択図】図１
0003184049.tif 000002
【実用新案登録請求の範囲】
【請求項１】
動物の体に装飾具を固定するためのベース部材と、ベース部材に結合させる装飾部材よりなることを特徴とする動物用装飾具
【請求項２】
装飾部材がかつら、ウィッグ、つけ毛であることを特徴とする請求項１に記載の動物用装飾具
【考案の詳細な説明】
【技術分野】
【０００１】
本考案は、イヌ、ネコ、その他のペット用動物、家畜等につける、かつら、ウィッグ、つけ毛、リボン等のかざり、服、帽子等に関します。なお、これらのかつら、ウィッグ、つけ毛、リボン等のかざり、服、帽子等は、既製品および、オーダーメイドのいずれも対象としています。
【背景技術】
【０００２】
犬、猫などペットを飼っている人が増え、それにつれて、洋服やリボンでペットのお洒落を楽しんでいる人も増えており、いろいろ着飾ったペットを目にすることも多くなりました。しかし、まだ、かつらやウィッグ、つけ毛を着けて散歩しているペットは見た事がありません。ペット用かつらにつきましては、特開平９−１８７１８６号公報に開示された技術があります。
【先行技術文献】
【特許文献】
【０００３】
【特許文献１】特開平９−１８７１８６号公報
【考案の概要】
【考案が解決しようとする課題】
【０００４】
犬、猫などペットを飼っている人が増え、同時に洋服やリホ゛ンでペットのお洒落を楽しんでいる人も増えています。しかし、まだペット用かつらを着けて散歩しているペットは見た事がありません。そこで考えました。「犬に髪があってもいいじゃないか」「象やキリンに髪があったっていいじゃないか」「虎に鬣があってもいいじゃないかと」。また、今よりもっと簡単に、リボン等のかざり、服、帽子等がつけられたら良いのではと。
【０００５】
最初はベース部分とかつら部分が一体となったものを、ペットに直接着ける方法を考えました。しかし、人間であればヒ゜ン、テーフ゜、接着剤で装着できますが、
動物の場合、色々な問題が発生する可能性があり、直接装着するのは無理だと考えました。
【課題を解決するための手段】
【０００６】
本考案は、ペットや動物の頭、顎、胴、手足、尻尾等に簡単に取り替えられるかつら、ウィッグ、つけ毛を提供することを目的としています。また、簡単にとりつけたり、とりはずしたりできたらとリボン等のかざり、服、帽子等を目的としました。そこで、サイズ゛を測り、それぞれの動物に合うウイッグ等の装飾具をオータ゛ーメイドで作ろうと思いつきました。ただ、顎に掛けるヘ゛ルトが無いと取れたり、ずれたりする可能性があり、見栄えが若干落ちてしまいます。その分はスタイルでカハ゛ーするという方向性にしました。
【０００７】
第一の考案は、動物の体に装飾具を固定するためのベース部材と、ベース部材に結合させる装飾部材よりなる動物用装飾具です。また、第二の考案は、第一の考案において、装飾部材がかつら、ウィッグ、つけ毛である動物用装飾具です。
【考案の効果】
【０００８】
ごく稀にペット用かつらが売られていますが、最初からスタイルが決まっており、ペットの可愛らしさが出ておらず、玩具程度にすぎません。本考案は犬や猫のペット、動物園の動物に着けるかつらであり、゛動物に合った、また、飼い主のセンスにこたえるものを、との考えにたっております。そのため、考案した物は原則として、オーダーメードの本格的な物です。このかつらには、（１）頭、顎、手足、尻尾等の各部位に装着出来る。（２）ベースに様々な形のものを用意できる。（３）本体の髪（毛）の長さ、色、スタイルを、時と場合により変化させることができる。毛足の長い動物の場合は、動物自身の毛を混ぜ合わせることができます。
【考案を実施するための形態】
【０００９】
図１に、ペットの犬に本考案のペット用装飾具であるかつらを付けた場合を示しました。
【実施例１】
【００１０】
以下に、頭用のペット用かつらについて、ペット用の犬を例にオーダー品の作成方法の詳細を説明します。
図２に頭用かつら１の頭用かつらベース１１を示します。
まず、動物の頭から周囲の長さを測り、頭用かつらベース１１の大きさを決め裁断します。周辺部に頭用かつらの形状保持部材１１５をつける場合は、それを考慮して大きさを決めます。
【００１１】
次に、耳の付け根の縦横の長さを測り、頭用かつらの耳を出す穴１１３の大きさを決め、頭用かつらベース１１上での位置を決めて頭用かつらの耳を出す穴１１３を開けます。
頭用かつらの耳を出す穴１１３は四角若しくは円、楕円とします。頭用かつらの耳を出す穴１１３の内側（２つの穴の間）に頭用かつらの面ファスナー１１２を着けて、かつら固定部とします。頭用かつらの面ファスナー１１２には後にのべます、頭部かつらシート１２を固定します。
【００１２】
頭用かつらの面ファスナー１１２は外れたり浮いたりしない様、通常の６倍の強度があるものを使うようにします。頭用かつらの面ファスナー１１２の使用により、簡単に装着出来、又、他の色のスタイルや長さ等、簡単に取り替ええることができます。
頭用かつらベース１１の両端部には、頭部に固定するための頭用かつらの顎ベルト１１４をつけます。耳の間の頭用かつらの面ファスナー１１３に耳穴前から後の縦の長さ、および、頭用かつらベース１１において、頭用かつらの耳を出す穴１１３をむすぶ線を延長して頭部の円周長さを決定して、頭用かつらベース１１の長さを引いて頭用かつらの顎ベルト１１４の長さを決めますが、頭用かつらの顎ベルト１１４の両端には、頭用かつらの顎ベルトの面ファスナー１１４１や、釦、ホック等をつけて、顎ベルト固定部とし、ペット等の頭部に固定します。頭用かつらの顎ベルト１１４の固定には通常は両端を重ねて行いますが、両端を突き合わせ状とすることも可能です。両端を突き合わせ状とする場合は、頭用かつらの顎ベルト１１４には、ゴム等の収縮性のある素材を用いるとフィットしやすくなります。頭用かつらの顎ベルト１１４は綿素材か、ネット素材を使用します。
頭用かつらの顎ベルト１１４の表面に面ファスナーを着けて顎用かつら２を着けられるようにすることができます。髭用のかつらも同様に着けられるようにすることができます。
【００１３】
頭用かつらベース１１の形状は、頭用かつらの耳を出す穴１１３と、頭用かつらの顎ベルト１１４をつけるものであれば、特に規定する必要はありません。方形（３角形、多角形）、円形（楕円形）、ハート型等が適用可能ですが、方形のように、角がある場合は角をとった形状とします。頭用かつらベース１１に使用する素材には、薄く、軽量であり、耐久性もあり、かつ、目的とする形状に容易に裁断できるものが適しています。人工皮膚やスイスネット等が使用可能で、４mm〜６mmネット等網目のネットが適しています。  人工皮膚・スキン素材は、好みに合わせて、カット出来ること、薄いこと、耐久性があること、軽いスこと等の性質を持っていることが好まれます。通常は四角いシートを色々な形にヘ゛ースカットして用います。
ネットの目の大きいものであれば、毛足の長い動物では、ネットから毛を出すことが出来ます。又、黒、茶、ベージュ、白など毛並みの色に合わせればベースを目立たなくすることができます。
【００１４】
頭用かつらベース１１には、薄手のネットを用いていますが、頭から浮いたりずれたりする場合がある場合は、形を整え、頭部への密着度を上げるために、金属やプラスティック製の形状保持部材１１５を組み込みます。頭用かつらの形状保持部材１１５には、形状記憶合金、ステンレス鋼、形状記憶樹脂が適しています。頭用かつら形状保持部材１１５を使うことにより、簡単にアール（曲面形状）が着けられる様になります。
頭用かつらは、動物の頭部にフィットする必要があり、基本はオーダーメードですが、データが多くなれば、既製品もそろえることができると思います。
【００１５】
以上に頭用かつらベース１１についてのべましたが、この上（外側））に頭用かつらシート１２を付けます。
図３に、ペットの頭部につけるための様々な頭用かつらシート１２を示しました。かつらシート本体１２１は頭用かつらベース１１と同一の形状｛方形（３角形、多角形）、円形（楕円形）、ハート型等｝としてもよく、図３にしましました用に異なった形状としてもかまいません。いくつかを用意しておき、時と場合に応じて好きなものを付けることができることは、もちろんです。かつらシート１２には、動物の毛、人毛、化繊毛等、色々な毛質を使用できますが、シャンプーやセットが簡単に出来る耐熱毛が適しています。耐熱毛は色も多種に作製出可能で、１０ｃｍ〜１５ｃｍの長さの物を目的に合わせてカットしたものを用います。かつらに変えて頭用かつらベース１１には、服、布、帽子、リボン等の飾り、光を反射する飾り、LEDなどの発光する飾りにも、面ファスナーをつけることにより、取り付けることが可能になります。
なお、大きい頭用かつらシート１２の場合は、耳をだす穴を開けます。
【００１６】
図４に、ペットの顎につけるための顎用かつらシート１２を示しました。
【００１７】
図５は、ペットの頭部につけるための様々な頭用かつらシート１２の断面図です。
頭用かつらシート本体１２１は布、不織布等に毛を植え付けたもので、裏面には、頭用かつらベース１１の頭用かつらの面ファスナー１１２に取り付け可能な頭用かつらの面ファスナー１２２の表面とします。顎用、後に述べます胴・手足・尻尾用も同様の構成にしています。
【実施例２】
【００１８】
次に、胴・手足・尻尾用のペット用かつらについての実施例を示します。
さきの図１には、これらを付けた場合も示しました。
図６には、胴につける実施例を示しました。胴部の上部につけますが、胴部全体を覆うものも当然、本考案の範囲に含まれます。動物により大きさが違う為、通常はオータ゛ーとしますが、将来的には既製品も使用できるようになると考えます。薄手ネット素材を用いた胴用かつらベース３１の作成には、まず、ペット用かつらを着ける胴部の縦の長さ、及び、各部位の周囲の長さを測ります。胴部ベースの長さ（頭部より尾部に向かう方向）は、前足と後ろ足の間の長さより短くしますが、長い場合も本考案の範囲に含まれます。しっぽの所より後部までになる場合は、しっぽを通す穴を開けること、または、しっぽを通すための切れ目をつけることにより装着します。胴用かつらベース３１の素材には頭用かつらベース１１と同様に、薄手のネットを用いていますが、胴から浮いたりずれたりする場合がある場合は、形を整え、頭部への密着度を上げるために、金属やプラスティック製の胴部形状保持部材３１５を組み込みます。胴部形状保持部材３１５には、形状記憶合金、ステンレス鋼、形状記憶樹脂が最適です。
【００１９】
胴用かつらベース３１は胴ベルト３１４により、動物の胴部に固定します。胴ベルト３１４は長さを決めて作り、端には、胴ベルト固定部３１５をつけています。胴ベルト固定部３１５の両端部には面ファスナーをつけており、固定します。もちろん、突き合わせ状とすることも可能です。両端を突き合わせ状とする場合は、胴ベルト３１４には、ゴム等の収縮性のある素材を用いるとフィットしやすくなります。
（Ｂ）に示しましたように胴用かつらベース３１が胴部全体を覆う大きさの場合は胴ベルト３１４は必要としません。
【００２０】
図７に、胴部用かつらシート３２の様々な実施例を示しました。１枚のかつらシートから長さ、形を決定し、カットして仕上げます。素材は、セットしやすい耐熱毛を使用し、様々なカラーを選べるようにします。
胴部かつらシート３２の裏面は、胴用かつらベース３１の面ファスナーに取り付けます。胴用かつらシート３２は胴用かつらベース３１と同一の形状｛方形（３角形、多角形）、円形（楕円形）、ハート型等｝としてもよく、異なった形状としてもかまいません。いくつかを用意しておき、時と場合に応じて好きなものを付けることができることは、もちろんです。
【００２１】
以上は胴部にペット用かつらをつけた場合について述べましたが、脚用、しっぽ用のペット用かつらも、同様の素材を用い、同様の製造方法により造ります。もちろん、
脚、しっぽの全周を覆うペッチ用かつらも本考案の範囲に含まれます。
以上は、ペット等の動物にペット用かつらをつける場合について述べました。ベース用の素材には、服、布、靴下、リボン等の飾り、光を反射する飾り、LEDなどの発光する飾りも、面ファスナーをつけることにより、取り付けることが可能になります。
【図面の簡単な説明】
【００２２】
【図１】ペットの犬に本考案のペット用装飾具であるかつらを付けた場合
【図２】頭用かつらの頭用かつらベース
【図３】頭用かつらシート
【図４】顎用かつらシート
【図５】頭用かつらシートの断面図
【図６】胴用かつらベース
【図７】顎用かつらベース
【図８】ペットの犬用の洋服型の装飾品、および、それをつける前後を示す図
【図９】ペットの犬に様々なアクセサリー、それを付ける前後を示す図
【産業上の利用可能性】
【００２３】
本考案により、ペット、かつらの製造、流通の分野に新規の市場を提供でき、産業上の利用可能性は大きいと言えます。
【符号の説明】
【００２４】
１  頭用かつら
１１頭用かつらベース
１１１  頭用かつらの薄手ネット
１１２  頭用かつらの面ファスナー
１１３  頭用かつらの耳を出す穴
１１４  頭用かつらの顎にかけるベルト
１１４１  頭用かつらの顎にかけるベルトの面ファスナー
１１５  頭用かつらの形状保持部材
１２  頭用かつらシート
１２１頭用かつらシート本体
１２２頭用かつらシートの面ファスナー
２  顎用かつら
２１  顎用かつらシート
３  胴用かつら
３１胴用かつらベース
３１１胴用かつらの薄手ネット
３１２  胴用かつらの面ファスナー
３１３  胴用かつらの胴にかけるベルト
３１４  胴用かつらの形状保持部材
３２  胴用かつらシート
４  足用かつら
５  しっぽ用かつら
【図１】
0003184049.tif 000003
【図２】
0003184049.tif 000004
【図３】
0003184049.tif 000005
【図４】
0003184049.tif 000006
【図５】
0003184049.tif 000007
【図６】
0003184049.tif 000008
【図７】
0003184049.tif 000009
【図８】
0003184049.tif 000010
【図９】
0003184049.tif 000011